(57)【特許請求の範囲】
【請求項１】
一対の脚装置と、その間に着脱自在に連結した幕板装置とにより、天板を支持する装置であって、
前記幕板装置は、幅方向の長さが異なる２種類の幕板部の２つずつと、隣り合う幕板部に連結する複数の連結手段とからなり、
前記各連結手段を介して前記各幕板部を連結することにより、前記幕板装置を平面視で略Ｗ字状と略Ｌ字状とに変更可能となるように構成したことを特徴とする天板の支持装置。
【請求項２】
前記各幕板部の上端部を前記天板の下面に着脱自在に固着する一方、前記各幕板部の側部を前記連結手段に着脱自在に連結するように構成したことを特徴とする請求項１に記載した天板の支持装置。
【請求項３】
前記連結手段は、前記天板を支持する略角筒状の脚柱と、前記各幕板部の側部に着脱自在に連結する中間連結体とからなることを特徴とする請求項１または２に記載した天板の支持装置。
【発明の詳細な説明】
【０００１】
【発明の属する技術分野】
本発明は、コーナー机等の各種机、テーブルまたは実験台等において、設置場所や用途等に応じて、一対の脚装置の間に配設した幕板装置の配置形態を変更できる天板の支持装置に関するものである。
【０００２】
【従来の技術】
一般に、コーナー机は設置場所や用途等に応じた形状に設定されている。例えば、平面視略五角形状の天板を備えたコーナー机の場合は、長机等の列と列とが平面視で略十字状や略Ｌ字状に交わる箇所や室の隅部等に配置するという使い方がなされている。また、平面視略Ｌ字状の天板を備えたコーナー机の場合は、室内に張り出した柱の側部に沿わせて配置する、換言すると、前記柱の角部を挟んだ両側面に、前記天板のうち平面視で内向きに凹んだ略Ｌ字状の側縁部を当接させて配置するという使い方がなされている。
【０００３】
【発明が解決しようとする課題】
この場合、例えば、平面視五角形状の天板を備えたコーナー机を、室内に張り出した柱に沿わせて配置できないし、平面視略Ｌ字状の天板を備えたコーナー机を、長机等の列と列とが平面視で略十字状に交わる箇所に配置できないというように、その形状によって設置場所や用途等が限定されてしまう。したがって、前記従来のコーナー机では、利用形態の選択の幅が狭く、ユーザーにとって使い勝手が悪いという問題があった。
【０００４】
そこで、本発明は、以上の問題を鑑み、コーナー机等の各種机、テーブルまたは実験台等の利用形態に多くのバリエーションを与えて、様々な設置場所や用途等に使用可能とした天板の支持装置を提供することを技術的課題とする。
【０００５】
【課題を解決するための手段】
この技術的課題を解決するため、請求項１の発明は、一対の脚装置と、その間に着脱自在に連結した幕板装置とにより、天板を支持する装置であって、前記幕板装置は、幅方向の長さが異なる２種類の幕板部の２つずつと、隣り合う幕板部に連結する複数の連結手段とからなり、前記各連結手段を介して前記各幕板部を連結することにより、前記幕板装置を平面視で略Ｗ字状と略Ｌ字状とに変更可能となるように構成したものである。
【０００６】
また、請求項２の発明は、請求項１の記載において、前記各幕板部の上端部を前記天板の下面に着脱自在に固着する一方、前記各幕板部の側部を前記連結手段に着脱自在に連結するように構成したものである。
【０００７】
さらに、請求項３の発明は、請求項１または２の記載において、前記連結手段が、前記天板を支持する略角筒状の脚柱と、前記各幕板部の側部に着脱自在に連結する中間連結体とからなるものである。
【０００８】
【発明の効果】
請求項１のように構成すると、各連結手段を介して各幕板部を連結する組み合わせにより、幕板装置が平面視略Ｗ字状や略Ｌ字状の連結パターンをとることができるから、この連結パターンに応じた形状の天板を取り付けることにより、例えばこの支持装置をコーナー机に用いた場合には、当該コーナー机に複数の利用形態を付与することができる。
【０００９】
したがって、前記コーナー机を、長机等の列と列とが平面視で略十字状や略Ｌ字状に交わる箇所や室の隅部等に配置したり、室内に張り出した柱の側部に沿わせて配置したりというように、様々な設置場所や用途等に応じた使用が可能となり、ユーザーにとって使い勝手がよいものとなる。
【００１０】
また、請求項２のように構成すると、予め所定の形状に組み立てた支持装置の上端に、天板を載置して取り付けるというようにして、能率よく天板の取り付け作業を行うことができる。さらに、天板は支持装置全体で支持されることになるから、例えばこの支持装置をコーナー机に用いた場合には、当該コーナー机の安定性が向上するのである。
【００１１】
さらに、請求項３のように構成すると、幕板装置が３種類の平面視略Ｗ字状の連結パターンをとることができるから、この連結パターンに応じた形状の天板を取り付けることにより、例えばこの支持装置をコーナー机に用いた場合には、当該コーナー机１つで、室の隅部等における柱の張り出しの程度等に応じた使用が可能となり、この場合も、ユーザーにとって使い勝手がよいものとなる。
【００１２】
【発明の実施の形態】
以下、本発明を具体化した実施形態を図面に基づいて説明する。図１〜図９は本発明をコーナー机１に適用した第１実施形態を示している。このうち、図１はコーナー机１の利用形態の一例を示す斜視図、図２は支持装置２の斜視図である。最初に、コーナー机１の全体の概要を図１及び図２を参照して説明する。
【００１３】
コーナー机１は、一枚の天板３と、当該天板３を支持する支持装置２とにより構成されている。第１実施形態では、平面視略Ｌ字状の天板３が使用されており、図１に示すように、この天板３のうち平面視で内向きに凹んだ略Ｌ字状の後側縁部３ｂを、室内に張り出した柱Ｐの角部を挟んだ両側面に当接させた状態で、コーナー机１が、柱Ｐの側部に沿うように配置されている。
【００１４】
天板３のうち後側縁部３ｂに対向する箇所は、平面視扇形状に切り取られた湾曲縁部３ｃとなっている。図１では、この湾曲縁部３ｃと隣り合う前側縁部３ａに、長机Ｄにおける天板の短辺部を当接させて、長机Ｄとコーナー机１とが室の壁面に沿うように配置されている。
【００１５】
図１及び図２に示すように、支持装置２は、天板３の下面に着脱自在に固着した一対の脚装置４，４と、この間に着脱自在に連結した幕板装置５と、各脚装置４の側端に着脱自在に固着した端パネル装置６とにより構成されている。第１実施形態の幕板装置５は、コーナー机１を柱Ｐの側部に沿わせるため、天板３の形状に対応して、平面視略Ｗ字状に配置されている（図２参照）。
【００１６】
なお、端パネル装置６は、本発明の支持装置２における必須の構成要素ではない。また、図２は天板３の後側縁部３ｂ側から見た斜視図であり、ここでは端パネル装置６が図示省略されている。
【００１７】
次に、この支持装置２の各部の構造を図２〜図９を参照して説明する。ここで、図３は脚装置４の骨組みを示す分離斜視図、図４は図２のＩＶ−ＩＶ視側断面図、図５は幕板装置５の骨組みを示す分離斜視図、図６は保持具２７の斜視図、図７は、図２のＶＩＩ−ＶＩＩ視側断面図、図８は中間連結体２３の斜視図、図９は端パネル装置６の取り付け態様を示す斜視図である。
【００１８】
まず、一対の脚装置４，４について説明する。ここで、脚装置４は、幕板装置５を挟んで左右対称状に形成されるものであって、基本的に同じ構成のものであるから、図２において左側に位置するものを代表として、以下に説明する。
【００１９】
脚装置４は、正面視矩形枠状で金属製等の脚フレーム７と、この脚フレーム７の枠部を覆う金属製等のパネル８とにより構成されている（図３参照）。脚フレーム７は、略角筒状の２本の支柱９，９の上下端部に、上下外向きに開口したステー部材１０，１０を溶接等にて固着することによって、正面視矩形枠状となっている。なお、各支柱９の下端には高さ調節のためのアジャスタ１１が取り付けられている。また、上ステー部材１０の一側面には、天板３の下面に当該脚装置４をねじ４５止めするための側面視略Ｌ字状の連結金具１２がタッピングネジ１３にて取り付けられている（図４参照）。
【００２０】
両支柱９，９のうち相対向する内向きの側面には、パネル８の縁片８ａを固定するためのねじ穴１４（図３では２つずつ）が穿設されている。また、左側の支柱９における外向きの側面にはねじ穴１５，１６，１７が複数個穿設されている（図３では６つ）。ここで、支柱９の外向きの側面における上端側の２つのねじ穴１５は、後述する上桟部材２４の側部を固定するためのものであり、下端側の２つのねじ穴１６は、後述する下桟部材２５の側部を固定するためのものである。残る２つのねじ穴１７は、端パネル装置６を固定するためのものである。
【００２１】
一方、パネル８の左右両側には、上下長手の縁片８ａ，８ａが同じ方向に突出するように、すなわち、平面視略コ字状に折り曲げ形成されており、これら各縁片８ａには、各支柱９の内向きの側面に穿設したねじ穴１４に螺合するねじ１８を挿通させるための挿通穴１９が（図３では２つずつ）穿設されている。また、パネル８の下端には、左右長手で上向き鉤状の係止縁８ｂが折り曲げ形成されている。
【００２２】
図４に示すように、パネル８は、下ステー部材１０の一方の縁部に係止縁８ｂを引っ掛けた状態で、脚フレーム７の枠部に両縁片８ａ，８ａを嵌め込み、各支柱９における内向きの側面に穿設したねじ穴１５に、各縁片８ａの挿通穴１９を介してねじ１８を螺合することにより、脚フレーム７に取り付けられている。
【００２３】
次に、幕板装置５について説明する。幕板装置５は、左右幅方向の長さが長い２つの第１幕板部２０と、幅方向の長さが短い２つの第２幕板部２１と、これら各幕板部２０，２１の側部に連結する脚柱２２（図２では２つ）及び中間連結体２３とにより構成されている。前記各脚柱２２と前記中間連結体２３とは本発明に係る連結手段に該当する。なお、以下の説明では、便宜上、各幕板部２０，２１の各々において、図２で左側に位置するものに符号ａを、右側に位置するものに符号ｂを付す。
【００２４】
第１実施形態では、各幕板部２０，２１の連結パターンは、図２において左から、第１幕板部２０ａ、２つの第２幕板部２１ａ，２１ｂ、第１幕板部２０ｂの順となっている。図２に示すように、左側の第１幕板部２０ａと第２幕板部２１ａとは脚柱２２を介して連結されており、同様に、右側の第１幕板部２０ｂと第２幕板部２１ｂとはもう１つの脚柱２２を介して連結されている。第２幕板部２１ａ，２１ｂ同士は中間連結体２３を介して連結されている。
【００２５】
また、左側の第１幕板部２０ａの左側部は、左側の脚装置４の側端に連結されており、同様にして、右側の第１幕板部２０ｂの右側部は右側の脚装置４の側端に連結されている。
【００２６】
各幕板部２０，２１は、左右幅方向の長さが異なる点と、その左右の側部が連結される対象（脚装置４の側端、脚柱２２または中間連結体２３）が異なる点とを除いて、基本的に同じ構成である。そこで、図２において左から２番目に位置する第２幕板部２１ａを代表として、以下にその構造を説明する。
【００２７】
図５に示すように、第２幕板部２１ａは、左右長手で断面略コ字状の上桟部材２４と、左右長手で断面略Ｚ字状の下桟部材２５と、板状の幕板２６と、幕板２６の上端縁を上桟部材２４に着脱自在に取り付けるための保持具２７とにより構成されている。
【００２８】
左右に適宜間隔を隔てて立状に配置した脚柱２２及び中間連結体２３の長手方向上端側には、上桟部材２４がねじ２８で固定されており、同じく下端側には、下桟部材２５がねじ２９で固定されている。そして、板状の幕板２６は、これら脚柱２２、中間連結体２３及び上下桟部材２４，２５に囲まれた枠部を覆うように配設されている（図２及び図７参照）。
【００２９】
上桟部材２４の上端の水平縁部２４ａには、天板３の下面のねじ穴に螺合するねじ３０（図７参照）を挿通させるための挿通穴３１（図５では３つ）が穿設されている。この水平縁部２４ａを天板３の下面に当接させた状態で、天板３の下面のねじ穴に、前記各挿通穴３１を介してねじ３０を螺合することにより、天板３の下面に各幕板部２０，２１が固定されるようになっている。
【００３０】
上桟部材２４の垂直板部２４ｂの左右両側には、脚柱２２の上端側のねじ穴３８や中間連結体２３の上端側のねじ穴４０（詳細は後述する）に螺合するねじ２８を挿通させるための挿通穴３２（図５では２つずつ）が穿設されている。前記垂直板部２４ｂにおける各挿通穴３２の穿設位置は、脚装置４における支柱９の上端側のねじ穴１５にも対応するように設定されている。
【００３１】
また、上桟部材２４の下端は、保持具２７を係合するための係合縁部２４ｃとなっている。なお、前記垂直板部２４ｂには、配線コード類を挿通させるためのコード穴３３（図２及び図５では２つ）も穿設されている。
【００３２】
一方、下桟部材２５の上端は、幕板２６の下端を支持するための上向き鉤状の支持縁部２５ａとなっており、この支持縁部２５ａと垂直板部２５ｂとにより、下桟部材２５は断面略Ｚ字状に形成されている。下桟部材２５の垂直板部２５ｂの左右両側にも、上桟部材２４と同様に、脚柱２２の下端側のねじ穴３９や中間連結体２３の下端側のねじ穴４１（詳細は後述する）に螺合するねじ２９を挿通させるための挿通穴３４（図５では２つずつ）が穿設されている。これら各挿通穴３４の穿設位置についても、脚装置４における支柱９の下端側のねじ穴１６に対応するように設定されている。
【００３３】
次に、保持具２７について説明する。合成樹脂製等の一体成形品である保持具２７は、幕板２６の上端縁を嵌合する下向き開口状の挟持溝３５ａを備えた基部３５と、この基部３５に水平突設した当接片３６と、この基部３５の上端に当接片３６と同一方向に延びるように設けた係止片３７と、当該係止片３７の上端に上向き突設した把手３８とにより構成されている（図５〜図７参照）。また、挟持溝３５ａには抜け止め用の突起体が形成され、係止片３７の先端には矢じり状の爪部３７ａが形成されている。
【００３４】
第１実施形態では、２つの保持具２７を、幕板２６の上端縁に適宜間隔を隔てて取り付けている。２つの保持具２７付きの幕板２６は、その下端縁を下桟部材２５の支持縁部２５ａに載置した状態で、各保持具２６の当接片３６と係止片３７とで上桟部材２４の係合縁部２４ｃを挟持するとともに、係止片３７の爪部３７ａを上桟部材２４の係合縁部２４ｃに引っ掛けることによって、脚柱２２、中間連結体２３及び上下桟部材２４，２５に囲まれた枠部に着脱自在に装着されている（図７参照）。
【００３５】
なお、第１実施形態では、２つの保持具２７を幕板２６の上端縁に取り付けているが、より多くの保持具２７を使用してもよいことはいうまでもない。また、保持具２７は、幕板２６の上端縁に沿って左右長手に形成したものでもよい。
【００３６】
次に、本発明に係る連結手段としての脚柱２２及び中間連結体２３について説明する。連結手段の１つである脚柱２２は、上下長手で略角筒状に形成されており、この脚柱２２の四周面のうち隣り合う二側面には、上端側に２つ、下端側に２つのねじ穴３８，３９がそれぞれ穿設されている（図４参照）。上端側のねじ穴３８は、上桟部材２４の側部を固定するためのものであり、下端側のねじ穴３９は、下桟部材２５の側部を固定するためのものである。
【００３７】
また、脚柱２２の下端には、脚装置４の各支柱９と同様に、高さ調節のためのアジャスタ１１が取り付けられている。第１実施形態では、脚柱２２のうちねじ穴３８，３９を備えた隣接する二側面に、各上下桟部材２４，２５の側部がねじ２８，２９止めされることにより、隣り合う第１幕板部２０と第２幕板部２１とが平面視で外向きに突出するように配置されるのである（図２参照）。
【００３８】
同じく連結手段の１つである上下長手の中間連結体２３は、断面略Ｗ字状のインナープレート２３ａに略平板状のアウタープレート２３ｂを溶接等にて固着してなるものである。
【００３９】
インナープレート２３ａのうち平面視で内向きに凹むように隣接する二側面には、上端側に２つ、下端側に２つのねじ穴４０，４１がそれぞれ穿設されている（図５及び図８参照）。これら各ねじ穴４０，４１は、前述した脚柱２２のねじ穴３８，３９と同様の役割を果たすものである。すなわち、インナープレート２３ａの上端側のねじ穴４０は、上桟部材２４の側部を固定するためのものであり、下端側のねじ穴４１は、下桟部材２５の側部を固定するためのものである。
【００４０】
アウタープレート２３ｂは、インナープレート２３ａに穿設したねじ穴４０，４１に螺合するねじ２８の先端を隠して、美観を向上させるために取り付けられたものである。
【００４１】
第１実施形態では、インナープレート２３ｂのうち平面視で内向きに凹むように隣接する二側面に、各上下桟部材２４，２５の側部がねじ２８，２９止めされることにより、隣り合う第２幕板部２１ａ，２１ｂが平面視で内向きに凹むように配置されるのである（図２参照）。なお、この中間連結体２３の長さとアジャスタ１１を除いた脚柱２２の長さとは略同じに設定されている。
【００４２】
次に、端パネル装置６の構造について説明する。ここで、端パネル装置６は左右対称状に配設されるものであって、基本的に同じ構成であるから、左側の脚装置４の側端に取り付くものを代表として、以下に説明する。
【００４３】
端パネル装置６は、脚装置４と室壁との間の空間を覆い隠すためのものであって、一方の側面を開放した略箱状に形成されている。図９に示すように、端パネル装置６の右側板には挿通穴４２（図９では２つ）が穿設されており、左側の脚装置４における支柱９の外向きの側面に穿設したねじ穴１７に、前記右側板の挿通穴４２を介してねじ４３を螺合することにより、左側の脚装置４の側端に、この脚装置４と面一状に取り付けられている。
【００４４】
なお、端パネル装置６の上下両側板には略正方形状の取り付け穴４４がそれぞれ穿設されており、下側板の取り付け穴４４には高さ調節のためのアジャスタ１１が嵌め込まれている（図９参照）。
【００４５】
以上の構成において、支持装置２を組み立てるに際しては、左側の脚装置４の側端に、第１幕板部２０ａにおける上下桟部材２４，２５の左側部をねじ２８，２９止めし、左側の脚柱２２において隣接する二側面のうちの一方に、第１幕板部２０ａにおける上下桟部材２４，２５の右側部をねじ２８，２９止めする。
【００４６】
次いで、当該脚柱２２の他方の側面に、第２幕板部２１ａにおける上下桟部材２４，２５の左側部をねじ２８，２９止めし、中間連結体２３のインナープレート２３ａのうち平面視で内向きに凹むように隣接する二側面のうちの右側面に、第２幕板部２１ａにおける上下桟部材２４，２５の右側部をねじ２８，２９止めする。右側の脚装置４、第１幕板部２０ｂ及び第２幕板部２１ｂについても、前記左側のものと対称状にそれぞれ連結する。
【００４７】
そして、各脚装置４の側端、脚柱２２、中間連結体２３及び上下桟部材２４，２５に囲まれた各枠部に、保持具２７を介して幕板２６を装着するのである。以上のようにして、第１実施形態の支持装置２は、幕板装置５を平面視略Ｗ字状に配置した状態で連結される。
【００４８】
平面視略Ｌ字状の天板３を支持装置２に固定するには、支持装置２の上端に天板３を載置し、天板３の下面の各ねじ穴に、各上桟部材２４における水平縁部２４ａの挿通穴３１と各脚装置４に取り付く連結金具１２とを介してねじ３０，４５を螺合するのである（図４及び図７参照）。
【００４９】
次に、幕板装置５の連結パターンについて説明する。図１０（Ａ）〜（Ｄ）は幕板装置５の連結パターン（第１〜第４実施形態）を示す平面図である。幕板装置５は、前述の構成を採用したことにより、連結手段として２つの脚柱２２と中間連結体２３とを用いた場合に、図１０（Ａ）〜（Ｃ）に示す３種類の略Ｗ字状の連結パターンをとることができる。
【００５０】
すなわち、図１０（Ａ）に示す第１実施形態では、２つの第２幕板部２１，２１が天板３の後側縁部３ｂに沿う位置にあり、天板３における前側縁部３ａ，３ａの延長上の仮想線Ｌ，Ｌと前記後側縁部３ｂとで囲まれた部分Ｓが略正方形状となっている。図１では、コーナー机１は当該囲まれた部分Ｓに柱Ｐが位置するように配置されている。
【００５１】
第２実施形態の連結パターンは、図１０（Ｂ）において左下から右上に向かって、第２幕板部２１、２つの第１幕板部２０，２０、第２幕板部２１の順となっている。この連結パターンに応じた平面視略Ｌ字状の天板３’（図１０（Ｂ）に二点鎖線で示す）が第２実施形態の支持装置２の上端に取り付けられる。各幕板部２０，２１の連結構造は、その左右の側部が連結される対象（脚装置４の側端、脚柱２２または中間連結体２３）が変更されるだけであり、第１実施形態と同様である。
【００５２】
この場合、２つの第１幕板部２０，２０は天板３’の後側縁部３ｂ’に沿う位置にあり、天板３’における前側縁部３ａ’，３ａ’の延長上の仮想線Ｌ’，Ｌ’と前記後側縁部３ｂ’とで囲まれた部分Ｓ’が略正方形状で、その面積が第１実施形態における囲まれた部分Ｓよりも大きい。これにより、第２実施形態の支持装置２を用いたコーナー机１’を、例えば、第１実施形態の柱Ｐよりもさらに室内に張り出した柱等に沿わせて配置できる。
【００５３】
なお、図１０（Ｂ）に示すように、例えば、第１幕板部２０、第２幕板部２１及び脚装置４で囲まれた空間等には、ワゴン５５（図１０（Ｂ）に点線で示す）を配置したりすることもできる。
【００５４】
第３実施形態の連結パターンは、図１０（Ｃ）において左下から右上に向かって、２つの第２幕板部２１、２つの第１幕板部２０，２０の順となっている。この連結パターンに応じた平面視略Ｌ字状の天板３”（図１０（Ｃ）に二点鎖線で示す）が第３実施形態の支持装置２の上端に取り付けられる。この場合も、各幕板部２０，２１の連結構造は、その左右の側部が連結される対象（脚装置４の側端、脚柱２２または中間連結体２３）が変更されるだけであり、第１及び第２実施形態と同様である。
【００５５】
この場合、隣接する第１幕板部２０と第２幕板部２１とが天板３”の後側縁部３ｂ”に沿う位置にあり、天板３”における前側縁部３ａ”，３ａ”の延長上の仮想線Ｌ”，Ｌ”と前記後側縁部３ｂ”とで囲まれた部分Ｓ”が略矩形状となっている。これにより、第３実施形態の支持装置２を用いたコーナー机１”を、例えば、室内に平面視略矩形状に張り出した柱等に沿わせて配置できる。
【００５６】
以上のように、本発明によると、連結手段として２つの脚柱２２と中間連結体２３とを用いた場合に、幕板装置５が３種類の平面視略Ｗ字状の連結パターンをとることができるから、この連結パターンに応じた形状の天板３（３’，３”）を取り付けることによって、１つのコーナー机１（１’，１”）に、３種類の利用形態を与えることができる。したがって、１つのコーナー机１（１’，１”）で、柱の張り出しの程度等に応じた使用が可能となり、ユーザーにとって使い勝手がよいものとなる。
【００５７】
また、本発明では、各幕板部２０，２１の側部、すなわち、各幕板部２０，２１を構成する上下桟部材２４，２５の側部を、連結手段としての脚柱２２や中間連結体２３にねじ２８，２９止めする一方、各幕板部２０，２１の上端部に相当する上桟部材２４の水平縁部２４ａを、天板３の下面にねじ３０止めするように構成しているから、所定の形状に組み立てた支持装置２の上端に、天板３を載置して取り付けるというようにして、能率よく天板３の取り付け作業を行うことができる。さらに、天板３は各幕板部２０，２１を含めた支持装置２全体で支持されることになるから、コーナー机１の安定性が向上するのである。
【００５８】
また、連結手段の別例として、１つの脚柱２２と２つの脚体５２とを用いた場合には、図１０（Ｄ）の第４実施形態に示すように、幕板装置５は平面視略Ｌ字状の連結パターンをとることができる。
【００５９】
図１１に示す脚体５２は、上下長手で略角筒状に形成されており、この脚体５２の一側面のうち上端側には、上桟部材２４の側部を固定するためのねじ穴５３が４つ穿設されており、下端側には、下桟部材２５の側部を固定するためのねじ穴５４が４つ穿設されている。
【００６０】
したがって、第４実施形態では、脚体５２の一側面に、各上下桟部材２４，２５の側部がねじ２８，２９止めされることにより、隣り合う第１幕板部２０と第２幕板部２１とが面一状に配置される（図１２参照）。そして、２つの第２幕板部２１，２１同士が脚柱２２を介して連結されることにより、第４実施形態の支持装置２は、幕板装置５を平面視略Ｌ字状に配置した状態で連結される。
【００６１】
なお、脚体４６の下端にも、脚装置４の各支柱９や脚柱２２と同様に、高さ調節のためのアジャスタ１１が取り付けられている。また、第１幕板部２０と第２幕板部２１との配置関係を置き換えて連結することも可能である。
【００６２】
この連結パターンに応じた平面視略五角形状の天板５１（図１０（Ｄ）に二点鎖線で示す）を第４実施形態の支持装置２の上端に取り付ければ、この支持装置２を用いたコーナー机５０を、例えば、長机Ｄの列と列とが平面視で略十字状や略Ｌ字状に交わる箇所や室の隅部等に配置できるのである。
【００６３】
なお、図１０（Ａ）〜（Ｃ）に示す実施形態において、天板３（３’，３”）の前側縁部３ａ（３ａ’，３ａ”）と各幕板部２０，２１との間の空間Ｒ１（Ｒ１’，Ｒ１”）や、図１０（Ｄ）に示す実施形態において、平面視略五角形状の天板５０における側縁部５１ａと各幕板部２０，２１との間の空間Ｒ２は、配線・配管用の空間として利用できる。
【００６４】
本発明は図示の形態以外にも様々に具体化できる。例えば、脚装置４は、正面視略Ｌ字状や略エ字状等の形態を採用してもよい。また、各幕板部２０，２１についても、上下桟部材２４，２５及び幕板２６により構成されるものに限らず、一方の側面を開放した略箱状の形態等を採用することも可能である。さらに、各幕板部２０，２１や中間連結体２３に高さ調節のためのアジャスタを付けたりしてもよい。
【００６５】
なお、本発明に係る支持装置２は、コーナー机に適用するに限らず、各種机、テーブルまたは実験台等にも適用できることはいうまでもない。
【図面の簡単な説明】
【図１】本発明を適用したコーナー机の利用形態の一例を示す斜視図である。
【図２】第１実施形態の支持装置の斜視図である。
【図３】脚装置の骨組みを示す分離斜視図である。
【図４】図２のＩＶ−ＩＶ視側断面図である。
【図５】幕板装置の骨組みを示す分離斜視図である。
【図６】保持具の斜視図である。
【図７】図２のＶＩＩ−ＶＩＩ視側断面図である。
【図８】連結手段の１つである中間連結体の斜視図である。
【図９】端パネル装置の取り付け態様を示す斜視図である。
【図１０】（Ａ）は第１実施形態の連結パターンを示す平面図、（Ｂ）は第２実施形態の連結パターンを示す平面図、（Ｃ）は第３実施形体の連結パターンを示す平面図、（Ｄ）は第４実施形態の連結パターンを示す平面図である。
【図１１】第４実施形態の支持装置の斜視図である。
【図１２】連結手段の別例としての脚体を示す斜視図である。
【符号の説明】
１  コーナー机
２  支持装置
３  天板
４  脚装置
５  幕板装置
２０  第１幕板部
２１  第２幕板部
２２  連結手段としての脚柱
２３  連結手段としての中間連結体
２４  上桟部材
２５  下桟部材
２６  幕板
５２  連結手段の別例としての脚体
【図１】
0003603020.tif 000002
【図２】
0003603020.tif 000003
【図３】
0003603020.tif 000004
【図４】
0003603020.tif 000005
【図５】
0003603020.tif 000006
【図６】
0003603020.tif 000007
【図７】
0003603020.tif 000008
【図８】
0003603020.tif 000009
【図９】
0003603020.tif 000010
【図１０】
0003603020.tif 000011
【図１１】
0003603020.tif 000012
【図１２】
0003603020.tif 000013